(57)【要約】【課題】簡素な構成で、打者に強力で安定的な打撃をサポートできるグリップ用テープ及びそれを用いた野球バットに代表されるスポーツ用具等の作業用具を提供する。【解決手段】グリップ付きの作業用具のグリップに取り付けるグリップ用テープは、表面層と裏面層を有し、当該裏面層が弾性体で構成されたシートをＶ字形状のテープで形成され、前記グリップの中央部分を中心に、前記Ｖ字形状の先端から両側に巻回してグリップを形成する。【選択図】図１
2018114254.tif 000002
【特許請求の範囲】
【請求項１】
グリップ付きの作業用具のグリップに取り付けるグリップ用テープであって、
表面層と裏面層を有し、当該裏面層が弾性体で構成されたシートをＶ字形状のテープで形成され、
前記グリップの中央部分を中心に、前記Ｖ字形状の先端から両側に巻回してグリップを形成することを特徴とする
グリップ用テープ。
【請求項２】
請求項１に記載のグリップ用テープにおいて、
前記弾性体が、前記Ｖ字形状の先端近傍で、前記Ｖ字形状の内側では厚く形成されると共に、前記Ｖ字形状の外側では薄く形成されることを特徴とする
グリップ用テープ。
【請求項３】
請求項１又は請求項２に記載のグリップ用テープにおいて、
前記弾性体が、前記Ｖ字形状の両側近傍又は片側近傍で、前記Ｖ字形状の内側では薄く形成されると共に、前記Ｖ字形状の外側では厚く形成されることを特徴とする
グリップ用テープ。
【請求項４】
請求項１〜請求項３のいずれかに記載のグリップ用テープが、前記グリップに巻回されて成ることを特徴とする
作業用具。
【請求項５】
請求項１〜請求項３のいずれかに記載のグリップ用テープの前記Ｖ字形状の先端を、前記グリップの中央部分に当接し、当該当接された前記Ｖ字形状の先端から両側に向かって、前記グリップ上で巻回することを特徴とする
作業用具の製造方法。
【発明の詳細な説明】
【技術分野】
【０００１】  本発明は、各種の作業用具のグリップに取り付けるグリップ用テープに関し、特に、グリップ感に優れると共に、特に当該作業用具がスポーツ用具の場合においては打撃力の向上をもたらすグリップ用テープに関する。
【背景技術】
【０００２】  向かってくるボールをバットやラケット等のスポーツ用具で打ち返す各種のスポーツでは、強いボールを打ち返すことや、早いボールを打ち返すことが、競技で勝利を収めるために重要なファクターとなっている。そのため、このようなスポーツで用いられるスポーツ用具では、打者（選手）がその手に力を込められるように、手とグリップ（握り部分）とがしっかりと固定されることが求められている。【０００３】  このようなスポーツの主要なものの一つとして、野球があり、上記スポーツ用具としては、野球バットが相当する。野球における打者が野球バットを用いて力強い打球を飛ばすためには、打点時の衝撃に負けないように、しっかりとグリップを固定することによって、高い打撃力と打球にジャストミートする確率を共に高めることが重要である。【０００４】  その一方で、野球バットのグリップ（野球バットのグリップの先端（グリップ端又はグリップエンドとも言う）から１８インチ（４５．７ｃｍ）の箇所のことを言う）には、野球バットの握り部分の先端（グリップエンド）に厚みを持たせた形状によって、打者がグリップを握った際に、打者の掌に、若干の遊び（可動性）を持たせると共に固定させている。これにより、野球バットを様々な掌のサイズの打者に適合させることができ、また、打者の掌の動作にある程度の柔軟性を持たせている。【０００５】  その一方で、このような野球バットのグリップに若干の遊び（可動性）があることから、野球バットにボールが当たった瞬間に打者の掌に振動や衝撃が伝わりやすくなり、この振動や衝撃に打者が打ち負けやすくなり、結果として、打撃力（飛距離）が低下したり、打者がジャストミートできる確率が低下したりする虞がある。【０００６】  また、野球規則によれば、野球バットの握り部分（グリップ）には、何らかの物質を付着させたり、ザラザラにして握りやすくさせたりことは許されている。但し、当該グリップの範囲を超えてまで（即ち、上記のグリップエンドから１８インチを超えてまで）物質を付着させたり加工させたりした野球バットを試合に使用することは禁じられている。【０００７】  そのため、野球規則に準ずる範囲内で、打者に強力で安定的な打撃をサポートできるような野球バットやそのグリップに取り付けるグリップ用テープが切望されている。【０００８】  従来から、スポーツ用具である野球バットのグリップに使用するための各種のグリップカバー（グリップ用テープ）が提案されている。例えば、打点時の振動を吸収するために、予め成形されたスリーブを備えるものがあり、当該スリーブは、弾性振動減衰材料で形成され、使用者がグリップを握るのを容易にするために粘着性の外面を有し、前記スリーブの下端部は、使用者の手がグリップからすべり離れるのを阻止するための止め部材として作用すべき外方に延びた周ノブを有するグリップカバー（グリップ用テープ）がある（特許文献１参照）。しかし、使用者がグリップを握った際に、両手の間が相互に動き易い状態となり、打点時の両手の安定性に欠けるものにとどまっている。【０００９】  このようなことから、従来のスポーツ用具である野球バットとしては、グリップの形状が工夫されたものが提案されている。【００１��】  例えば、従来のスポーツ用具である野球バットとしては、野球バットのグリップ端部をしの字又はＬ字にするものが開示されている（特許文献２参照）。また、例えば、両手でグリップを上下に握る打球具において、前記両手の間の前記グリップに、径方向に膨らんだ鍔部を設けると共に、上側の手の小指側が当たる前記鍔部側面は上側の手で握った前記グリップ外周から前記鍔部外周にかけて径方向に徐々に拡径するテーパ状に形成したことを特徴とする打球具も開示されている（特許文献３参照）。【００１１】  また、例えば、１箇所に縦方向の割れ目があり、内面にイボが施されており、両端がバットのグリップエンド状の筒の、それの凹み状の中央部と、それに固定されるベルトに設置した面ファスナーで構成されたバット用グリップ当ても開示されている（特許文献４参照）。また、バットのグリップ部が貫通し、グリップ部の外周面に当接する円孔を開孔した偏平リング状に形成し、円孔がグリップ部を貫通してグリップ部に鍔状に装着する野球又はソフトボールのバットに装着する補助具も開示されている（特許文献５参照）。また、野球の打撃の際使用する移動式スベリ止めグリップエンドであって、弾力性のある素材でバットに密着させ滑りを止め、その上から伸縮性のある素材を巻き、マジックテープ（登録商標）で固定する移動式スベリ止めグリップエンドも開示されている（特許文献６参照）。
【先行技術文献】
【特許文献】
【００１２】
【特許文献１】特表２００５−５０４５６８号公報
【特許文献２】特開２００４−２０９１７８号公報
【特許文献３】特開２０００−２４５８８３号公報
【特許文献４】実開昭６２−３９７６０号公報
【特許文献５】登録実用新案３１７３１７５号公報
【特許文献６】特開２００１−２５９１０２号公報
【発明の概要】
【発明が解決しようとする課題】
【００１３】  しかし、従来のスポーツ用具である野球バットでは、例えば、上記特許文献２のように、野球バットのグリップ端部がＬ字又はしの字である形状では、当該Ｌ字又はしの字が有する角度を付けて折れた形状の折れ目に形成される空間が存在することによって、依然として掌と野球バットの接点がぐらつき易いものとなり、当該接点における握り込み時の安定性が十分とは言えない。さらに、当該Ｌ字又はしの字の形状では、複雑な形状であり製造し難いという課題もある。【００１４】  また、従来のスポーツ用具である野球バットは、例えば、上記特許文献３のように、上側の手の小指側が当たる鍔部側面が上側の手で握った前記グリップ外周から前記鍔部外周にかけて径方向に徐々に拡径するテーパ状の鍔部を有する形状では、上側の手の固定を目的としており、即ち、テーパ状の鍔部の背面部に接し得る側にある下側の手でのグリップ固定が弱いことから、下側の手のしっかりした固定が強い打撃を生み出すという点から、打撃力が向上し難いという課題がある。また、上記特許文献４のように、グリップエンドを固定するバット用グリップ当ての場合にも、グリップエンドにおける下側の手の固定が強化されるに留まり、下側の手のしっかりした固定が強い打撃を生み出すという点から、打撃力が向上し難いという課題がある。【００１５】  また、例えば、上記特許文献５のように、グリップ部の外周面に当接する円孔を開孔した偏平リング状の鍔状の補助具では、リング状の形状であることから、時間の経過と共に、鍔状の補助具のリング面と手が接する領域が移動し易く、即ち、手が動き易くなることから不安定な固定となり、打撃力が向上し難いという課題がある。また、上記特許文献６のように、移動式スベリ止めグリップエンドもあるが、スベリ止めグリップエンドはスイングの際にバットが手から離れ難くすることを目的とするものであり、打撃力の向上をもたらすものではない。【００１６】  このように、従来のスポーツ用具である野球バットにおいては、打者に強力で安定的な打撃をサポートできるものは未だ見当たらず、ましてやグリップ用テープを用いて、簡素にそれを実現できているものも見当たらない。【００１７】  本発明は前記課題を解決するためになされたものであり、簡素な構成で、打者に強力で安定的な打撃をサポートできるグリップ用テープ及びそれを用いた野球バット等のスポーツ用具に代表されるグリップ（握り手）を有する作業用具の提供を目的とする。
【課題を解決するための手段】
【００１８】  本願に開示するグリップ用テープは、グリップ付きのスポーツ用具のグリップに取り付けるグリップ用テープであって、表面層と裏面層を有し、当該裏面層が弾性体で構成されたシートをＶ字形状のテープで形成され、前記グリップの中央部分を中心に、前記Ｖ字形状の先端から両側に巻回してグリップを形成するものである。【００１９】  このように、表面層と裏面層を有し、当該裏面層が弾性体で構成されたシートをＶ字形状のテープで形成され、前記グリップの中央部分を中心に、前記Ｖ字形状の先端から両側に巻回してグリップを形成することから、グリップの中央部分にＶ字形状の先端部が巻き付けられて最も重畳的に巻かれることにより、グリップの中央部分が隆起することとなり、また一方で、当該中央部分からＶ字形状の両端（すなわち、一の端部及び他の端部）に向かう巻回方向が、各々異なる方向（逆方向）に形成されることから、当該異なる巻回方向が、グリップを握った際の左手と右手で異なる握り方向と合致することとなり、前記隆起によりグリップを握った左右の手がしっかりと固定されると共に、グリップを握った左右の指の握りが強固に固定され、簡素な構成で、手との強固な固定感が得られ、特に作業用具をスポーツ用具に適用した際には、打者に強力で安定的な打撃をサポートすることができる。【００２０】  また、本願に開示するグリップ用テープは、必要に応じて、前記弾性体が、前記Ｖ字形状の先端近傍で、前記Ｖ字形状の内側では厚く形成されると共に、前記Ｖ字形状の外側では薄く形成されるものである。このように、前記弾性体が、前記Ｖ字形状の先端近傍で、前記Ｖ字形状の内側では厚く形成されると共に、前記Ｖ字形状の外側では薄く形成されることから、前記Ｖ字形状の内側に形成される厚みによって、テープが巻回することによりグリップの中央部分に形成される前記隆起が、より急峻なものとして形成されることとなり、前記隆起によりグリップを握った左右の手がさらにしっかりと固定され、簡素な構成で、手との強固な固定感が得られ、特に作業用具をスポーツ用具に適用した際には、打者により強力で安定的な打撃をサポートすることができる。【００２１】  また、本願に開示するグリップ用テープは、必要に応じて、前記弾性体が、前記Ｖ字形状の両側近傍又は片側近傍で、前記Ｖ字形状の内側では薄く形成されると共に、前記Ｖ字形状の外側では厚く形成されるものである。このように、前記弾性体が、前記Ｖ字形状の両側近傍又は片側近傍で、前記Ｖ字形状の内側では薄く形成されると共に、前記Ｖ字形状の少なくとも１つの外側では厚く形成されることから、前記Ｖ字形状の両端又は一端（すなわち、一の端部及び／又は他の端部）に形成される厚みによって、テープが巻回することによりグリップの両端又は一端に隆起が形成されることとなり、前記隆起によりグリップを握った左右の手が、グリップの両端部又は一端部でさらにしっかりと固定され、簡素な構成で、手との強固な固定感が得られ、特に作業用具をスポーツ用具に適用した際には、打者により強力で安定的な打撃をサポートすることができる。【００２２】  また、本願に開示するグリップ用テープを用いた作業用具は、上記グリップ用テープが、前記グリップに巻��されて成るものである。このように、上記グリップ用テープが、前記グリップに巻回されて成ることから、上記グリップ用テープを巻く手間が無く使えることとなり、より簡便に、手との強固な固定感が得られ、特に作業用具をスポーツ用具に適用した際には、打者により強力で安定的な打撃が得られる。【００２３】  また、本願に開示するグリップ用テープを用いた作業用具の製造方法は、グリップ用テープの前記Ｖ字形状の先端を、前記グリップの中央部分に当接し、当該当接された前記Ｖ字形状の先端から両側に向かって、前記グリップ上で巻回するものである。このように、グリップ用テープの前記Ｖ字形状の先端を、前記グリップの中央部分に当接した後に、前記Ｖ字形状の両側に向かって、前記グリップ上で巻回することから、グリップ上で、グリップ用テープの前記Ｖ字形状の先端により形成される中央部から、前記Ｖ字形状の各両側に向かう巻き方向が、各々異なる向きで形成されることとなり、当該中央部を右手と左手の境界としてグリップを握った際に、握り方向が異なる左右各々の握り手に対しても、載置された指の方向とテープの巻き方向とが一致することとなり、強固な固定感が得られ、特に作業用具をスポーツ用具に適用した際には、打者により強力で安定的な打撃が得られる。
【図面の簡単な説明】
【００２４】
【図１】本発明の第１の実施形態に係るグリップ用テープの構成を表す斜視図及び断面図を示す。
【図２】本発明の第１の実施形態に係るグリップ用テープを作業用具の一例である野球バットに巻回させる説明図及び当該グリップ用テープを用いたグリップを有する作業用具の製造方法に係るフローチャートを示す。
【図３】本発明の第１の実施形態に係るグリップ用テープを作業用具の一例である野球バットに巻回させる説明図、及び当該巻回により形成された野球バットを示す。
【図４】本発明の第１の実施形態に係るグリップ用テープを巻回させて形成された作業用具の一例である野球バットの使用状態図を示す。
【図５】本発明のその他の実施形態に係るグリップ用テープの構成を表す断面図、及び当該グリップ用テープを巻回させて形成された作業用具の一例である野球バットの状態図を示す。
【図６】本発明のその他の実施形態に係るグリップ用テープの構成を表す断面図、及び当該グリップ用テープを巻回させて形成された作業用具の一例である野球バットの状態図を示す。
【発明を実施するための形態】
【００２５】（第１の実施形態）
以下、第１の実施形態に係る野球バットを図１〜図４に基づいて説明する。
【００２６】  第１の実施形態に係るグリップ用テープ１０は、握り手（グリップ）付きの作業用具のグリップ１００に取り付けるグリップ用テープ１０であって、図１（ａ）に示すように、表面層１と裏面層２を有し、当該裏面層２が弾性体で構成されたシートをＶ字形状のテープ２１で形成されるものである。
【００２７】  このＶ字形状は、図１（ａ）に示すように、尖った形状の先端１０ａと、両側である一の端部１０ｂ及び他の端部１０ｃを有する形状である。また、このグリップ用テープ１０は、表面層１と裏面層２を有し、当該裏面層２が弾性体で構成されたシートで形成された平面から、Ｖ字形状に切り取ることによって、得ることができる。また、この裏面層２を構成する弾性体の厚みは、特に限定されず、一定の厚みとすることもできるが、例えば、図１（ｂ）に示すように、傾斜状（斜面状）とすることもできる。
【００２８】  また、図１（ｃ）に示すように、前記裏面層２を構成する弾性体が、前記Ｖ字形状の先端１０ａに近付くにつれて、前記Ｖ字形状の内側では厚く形成されると共に、前記Ｖ字形状の外側では薄く形成される（図中の断面Ａ−Ａ’参照）。
【００２９】  さらに、前記裏面層２を構成する弾性体が、前記Ｖ字形状の両側（一の端部１０ｂ及び他の端部１０ｃ）に近付くにつれて、前記Ｖ字形状の内側と外側での厚みの傾斜が徐々に緩やかになり、この厚みに傾斜が一旦無くなり（図中の断面Ｂ−Ｂ’参照）、さらに、前記Ｖ字形状の両側（一の端部１０ｂ及び他の端部１０ｃ）に近付くにつれて、厚みの傾斜方向が逆転し、前記Ｖ字形状の内側では薄く形成されると共に、前記Ｖ字形状の外側では厚く形成される（図中の断面Ｃ−Ｃ’参照）。
【００３０】  なお、前記裏面層２を構成する弾性体は、前記Ｖ字形状の先端１０ａの近傍では、その厚みが平坦な形状でもよいが、その厚みがより鋭敏な凸部となる形状で形成されることが好ましい（図中の断面Ｄ−Ｄ’参照）。
【００３１】  このような前記裏面層２を構成する弾性体の厚みに変化をもたせたグリップ用テープ１０を得るには、先ず、前記Ｖ字形状の両側又は片側（一の端部１０ｂ及び／又は他の端部１０ｃ）に近付くにつれて、前記Ｖ字形状の内側では薄く形成されると共に、前記Ｖ字形状の外側では厚く形成されるように、弾性体の厚みに起伏を持たせた傾斜状（斜面状）のものを用意する。例えば、図１（ｄ）に示すように、前記Ｖ字形状の先端１０ａに近付くにつれて、弾性体の厚みが増すと共に、前記Ｖ字形状の両側（一の端部１０ｂ及び他の端部１０ｃ）に近付くにつれて、前記Ｖ字形状の内側では薄く形成されると共に、前記Ｖ字形状の外側では厚く形成されるように、弾性体の厚みに起伏を持たせた傾斜状（斜面状）のものを用意し、所望とする厚みのＶ字形状を切り取ることで得ることができる。なお、このように、前記Ｖ字形状の両側を傾斜状（斜面状）とする他にも、前記Ｖ字形状の片側を傾斜状（斜面状）とすることも可能であり、すなわち、グリップ１００の端部のうち、グリップ１００のグリップエンド１００ｂ側のみに起伏形状を有する形状や、グリップ１００のバット側の端部（他の端部１００ｃ）側のみに起伏形状を有する形状等、用途に応じてグリップ１００の自在な起伏形状が可能となる。
【００３２】  このグリップ用テープ１０は、図２（ａ）に示すように、作業用具の一例であるスポーツ用具（例えば、野球バット）のグリップ１００の中央部分１００ａを中心に、前記Ｖ字形状の先端１０ａから両側（一の端部１０ｂ及び他の端部１０ｃ）に巻回してグリップを形成することができる。
【００３３】  このグリップ用テープ１０の巻回によるグリップの形成方法については、図２（ｂ）に示すように、このグリップ用テープ１０のＶ字形状の先端１０ａを、グリップ１００の中央部分に当接し（Ｓ１）、この当接されたＶ字形状の先端１０ａから両側（一の端部１０ｂ及び他の端部１０ｃ）に向かって、グリップ１００上で巻回する（Ｓ２）ことによって、作業用具（例えば、スポーツ用具）を製造することができる。
【００３４】  すなわち、図３（ａ）に示すように、グリップ用テープ１０の前記Ｖ字形状の先端１０ａを、作業用具の一例であるスポーツ用具（例えば、野球バット）のグリップ１００の中央部分１００ａに当接して固定して、グリップ用テープ１０をグリップ１００に順次巻き付けていくことで、先端１０ａに巻きによる厚みで隆起が生じる。さらに、図３（ｂ）に示すように、グリップ用テープ１０をグリップ１００に順次巻き付けていくことによって、図３（ｃ）に示すように、この巻き付けが、グリップ用テープ１０の前記Ｖ字形状の両側（一の端部１０ｂ及び他の端部１０ｃ）まで到達することによって、このグリップ用テープ１０から構成されるグリップ１００が形成される。
【００３５】  このようにして形成されたグリップ１００は、図３（ｃ）に示すように、グリップ１００の中央部分１００ａに、Ｖ字形状の先端部が巻き付けられて最も重畳的に巻かれることにより、グリップ１００の中央部分１００ａが隆起することとなり、この隆起によってグリップ１００を握った左右の手がしっかりと固定されると共に、グリップ１００を握った左右の指の握りが強固に固定され、簡素な構成で、打者（選手）に強力で安定的な打撃をサポートすることができる。
【００３６】  また、上述の図１（ｃ）（断面Ａ−Ａ’）で示したように、前記裏面層２を構成する弾性体が、前記Ｖ字形状の先端１０ａ近傍で、前記Ｖ字形状の内側では厚く形成されると共に、前記Ｖ字形状の外側では薄く形成されることによって、前記Ｖ字形状の内側に形成される厚みによって、テープが巻回することによりグリップ１００の中央部分１００ａに形成される隆起が、より急峻なものとして形成されることとなり、この隆起によって、グリップ１００を握った左手と右手の間（両手が動き易く、ぐらつき易い箇所）がさらにしっかりと固定され、簡素な構成で、打者（選手）により強力で安定的な打撃をサポートすることができる。
【００３７】  また、上述の図１（ｃ）（断面Ｃ−Ｃ’）で示したように、前記裏面層２を構成する弾性体が、前記Ｖ字形状の両側（一の端部１０ｂ及び他の端部１０ｃ）近傍で、前記Ｖ字形状の内側では薄く形成されると共に、前記Ｖ字形状の外側では厚く形成されることにより、前記Ｖ字形状の両端（すなわち、一の端部１０ｂ及び他の端部１０ｃ）に形成される厚みによって、テープが巻回することによりグリップ１００の両端（グリップエンド１００ｂ及び他の端部１００ｃ）にも、隆起が形成されることとなり、この隆起によってグリップを握った左右の手が、グリップの両端（グリップエンド１００ｂ及び他の端部１００ｃ）においても、さらにしっかりと固定され、簡素な構成で、打者（選手）により強力で安定的な打撃をサポートすることができる。なお、前記Ｖ字形状の端部においては、このような前記Ｖ字形状の両端（グリップエンド１００ｂ及び他の端部１００ｃ）共に厚みが形成されるものの他にも、前記Ｖ字形状の一端（グリップエンド１００ｂ又は他の端部１００ｃ）のみに厚みを形成することも可能であり、用途に応じた所望とする形状とすることができ、簡素な構成で、打者（選手）により強力で安定的な打撃をサポートすることができる。
【００３８】  図４では、このようにして形成されたグリップ１００を、打者（選手）が左手２００ａと右手２００ｂで握った場合の状態図を示している。このように、グリップ用テープ１０が、中央部分１０ａからＶ字形状の両側（一の端部１０ｂ及び他の端部１０ｃ）に向かう巻回方向（図中の方向Ａと方向Ｂ）が、各々異なる方向（逆方向）に形成されることから、この異なる巻回方向が、グリップを握った際の左手２００ａと右手２００ｂの握り方向（図中の方向Ａと方向Ｂ）と，各々合致することとなり、グリップ１００を握った左右の指の握りが強固に固定され、簡素な構成で、打者（選手）に強力で安定的な打撃をサポートすることができる。
【００３９】  このグリップ１００を備える作業用具の一例であるスポーツ用具は、特に限定されず、野球バットでも各種のラケットでも適用可能であり、その素材は特に限定されず、例えば、野球バットの場合には、金属バットでも木製バットでも適用可能である。
【００４０】  また、野球規則によれば、野球バットの握り部分であるグリップ１００は、グリップエンド１００ｂからの長さＬ＝１８インチ（４５．７ｃｍ）の範囲内には、何らかの物質を付着させたり、加工したり、ザラザラにして握りやすくさせたりことは許されている。
【００４１】  上記のように、本実施形態に係るグリップ用テープ１０の隆起は、野球バットの握り部分であるグリップ１００の所定の範囲内に形成できることから、そのまま野球規則に準拠することができるという利点があり、有用性が高い。
【００４２】  このグリップ用テープ１０は、上記のように、野球バット等のスポーツ用具のグリップ１００に着脱可能に取り付けられることから、打者（選手）が装着したい場合には装着でき、また、装着を控えたい場合には取り外せるという打者の個々の場面のニーズに応じた装着ができることとなり、より高い使い勝手を実現することができる。
【００４３】  尚、本実施形態では、このグリップ用テープ１０は、野球バット等のスポーツ用具のグリップ１００本体に着脱可能に取り付ける構成としたが、この形態に限定されず、この野球バット等のスポーツ用具とグリップ用テープ１０とが、１つの金属バットや木製バットとして一体となった形態としてもよい。その場合には、１つの製造工程で、簡易にグリップ１００に隆起を有するスポーツ用具（例えば、野球バット）を製造することや販売することができる。
【００４４】  このように、本実施形態に係る作業用具は、その一例としてスポーツ用具が挙げられ、例えば、野球バットに適用した場合には、野球規則に準拠しつつ、優れた使用感及び固定感が得られ、さらに打者に強力でより安定的な打撃をサポートすることが実現できる。また、本実施形態に係る作業用具は、グリップ１００を備えるものであれば、スポーツ用具の一つである野球バットに限定されず、例えば、ゴルフクラブ、テニスラケット、ゲートボールラケット、ホッケーラケット、アイスホッケーラケット、ポロラケット等、多岐に渡り適用することができる。なお、本実施形態に係る作業用具は、上記のスポーツ用具に限定されるものではなく、持ち手（グリップ）を有する各種の作業用機具におけるハンドルに対しても、適用することができ、上記同様のしっかりとした固定感を得ることが可能となる。
【００４５】（その他の実施形態）
なお、上記の実施形態では、上記の図１（ｃ）で示したように、前記裏面層２を構成する弾性体が、前記Ｖ字形状の両側（一の端部１０ｂ及び他の端部１０ｃ）近傍で、前記Ｖ字形状の内側では薄く形成されると共に、前記Ｖ字形状の外側では厚く形成される（図中の断面Ｃ−Ｃ’参照）構成としたが、この構成に限定されるものではない。
【００４６】  このようなことから、その他の実施形態としては、図５（ａ）に示すように、前記裏面層２を構成する弾性体が、前記Ｖ字形状の両側（一の端部１０ｂ及び他の端部１０ｃ）近傍では、前記Ｖ字形状の内側と外側で厚みを均等にした構成（図中の断面Ｃ−Ｃ’参照）とすることができる。
【００４７】  このような構成によって、この図５（ａ）（断面Ａ−Ａ’）で示されるように、前記裏面層２を構成する弾性体が、前記Ｖ字形状の先端１０ａ近傍で、前記Ｖ字形状の内側では厚く形成されると共に、前記Ｖ字形状の外側では薄く形成されることから、前記Ｖ字形状の内側に形成される厚みによって、テープが巻回することによりグリップ１００の中央部分１００ａに形成される隆起が、図５（ｂ）で示されるように、より急峻なものとして形成されることとなり、この隆起によって、グリップ１００を握った左手と右手の間（両手が動き易く、ぐらつき易い箇所）がさらにしっかりと固定され、簡素な構成で、打者（選手）により強力で安定的な打撃をサポートすることができる。
【００４８】  なお、上記の実施形態では、上記の図１（ｃ）で示したように、前記裏面層２を構成する弾性体が、前記Ｖ字形状の先端１０ａ近傍で、前記Ｖ字形状の内側では厚く形成されると共に、前記Ｖ字形状の外側では薄く形成される構成（図中の断面Ａ−Ａ’参照）としたが、この構成に限定されるものではない。
【００４９】  このようなことから、その他の実施形態としては、図６（ａ）に示すように、前記裏面層２を構成する弾性体が、前記Ｖ字形状の先端１０ａ近傍で、前記Ｖ字形状の内側と外側で厚みを均等にした構成（図中の断面Ａ−Ａ’参照）とすることができる。さらには、図中の断面Ｄ−Ｄ’も平坦にすることで、前記裏面層２を構成する弾性体が全体にわたって、厚みを均等にした構成とすることもできる。
【００５０】  このような構成によって、グリップ１００の中央部分１００ａを中心に、前記Ｖ字形状の先端１０ａから両側（一の端部１０ｂ及び他の端部１０ｃ）に巻回してグリップ１００が形成されることから、グリップ１００の中央部分１００ａにＶ字形状の先端部が巻き付けられて最も重畳的に巻かれることにより、グリップの中央部分１００ａが隆起することとなり、また一方で、この中央部分１００ａからＶ字形状の両端（すなわち、一の端部１０ｂ及び他の端部１０ｃ）に向かう巻回方向が、各々異なる方向（逆方向）に形成されることから、この異なる巻回方向が、グリップ１００を握った際の左手と右手の握り方向と各々合致することとなり、この隆起によって、グリップ１００を握った左右の手がしっかりと固定されると共に、グリップ１００を握った左右の指の握りが、グリップ１００の巻き方向に沿って強固に固定され、簡素な構成で、打者に強力で安定的な打撃をサポートすることができる。
【符号の説明】
【００５１】１  表面層
１０  グリップ用テープ
１０ａ  先端
１０ｂ  一の端部
１０ｃ  他の端部
２  裏面層
２１  テープ
１００  グリップ
１００ａ  中央部分
１００ｂ  グリップエンド
１００ｃ  他の端部
２００ａ  左手
２００ｂ  右手
【図１】
2018114254.tif 000003
【図２】
2018114254.tif 000004
【図３】
2018114254.tif 000005
【図４】
2018114254.tif 000006
【図５】
2018114254.tif 000007
【図６】
2018114254.tif 000008